(57)【特許請求の範囲】
【請求項１】
平行に配置される取付枠部をベルト受け面を介して連結してなるコンベヤフレームの一端間にテールプーリを取り付け、前記コンベヤフレームの他端間にヘッドプーリを取外し自在に取り付ける第一搬送部と、
平行に配置される取付枠部をベルト受け面を介して連結してなるコンベヤフレームの一端間にテールプーリを取り付け、前記コンベヤフレームの他端間にヘッドプーリを取り付ける第二搬送部と、
前記第一搬送部のヘッドプーリの下方に前記第二搬送部のテールプーリを配した状態で、前記第一搬送部と前記第二搬送部とをそれぞれのコンベヤフレームの取付枠部を同一平面上で連結して前記第一搬送部と前記第二搬送部とを結合する側板と、
前記第一搬送部のヘッドプーリと前記第二搬送部のテールプーリとの間において前記側板間に取外し自在に取り付けられ、ベルトの折返し部を形成するベンドプーリと、
前記第二搬送部の前記コンベヤフレームの途中において取外し自在に取り付けられるリターンローラと、
平行に配置される一対のサブフレームの一端間にボトムプーリを取り付け、前記一対のサブフレームの他端間にトッププーリを取外し自在に取り付け、前記第一搬送部のヘッドプーリの下方において前記側板間に取り付けられるプーリユニットと、
前記第一搬送部のテールプーリ及びヘッドプーリ、前記ベンドプーリ、前記第二搬送部のテールプーリ及びヘッドプーリ、前記リターンローラ、前記プーリユニットのボトムプーリ及びトッププーリ間に掛け渡されて周回走行する無端状のコンベヤベルトと、
前記第一搬送部のテールプーリ、前記プーリユニットのボトムプーリ又は前記第二搬送部のヘッドプーリの何れかに連絡する駆動装置と
を備え、
前記側板は、前記第一搬送部の下向きに開口し前記ベンドプーリの両端部を軸支する受部を有するベンドプーリブロックと、前記ベンドプーリブロックの受部に軸支される前記ベンドプーリの両端部を支持するベンドプーリ支持ネジと、前記ベンドプーリ支持ネジを取外し後の前記ベンドプーリを取り出すための窓穴と、前記プーリユニットを支持するプーリユニット支持ネジとを有し、
前記プーリユニットは、前記無端状のコンベヤベルトの取外し時に前記トッププーリが取り外され、前記無端状のコンベヤベルトの取付時に前記トッププーリが取り外され、前記無端状のコンベヤベルトの取付後に前記ボトムプーリに軸支される前記無端状のコンベヤベルトを前記第一搬送部方向へ押圧するように前記トッププーリが取り付られ、
前記無端状のコンベヤベルトの緩め時又は清掃時に、前記リターンローラ、前記プーリユニットのトッププーリ及び前記第一搬送部のヘッドプーリは、それぞれ前記コンベヤフレーム及び前記サブフレームから取り外され、前記ベンドプーリは、前記ベンドプーリ支持ネジを取り外すことによって前記側板から取り外され、前記窓穴から前記側板の外側へ取り出され、前記無端状のコンベヤベルトは、前記ベルトの折返し部を前記第一搬送部及び第二搬送部側から引っ張ることによって引き出される
ことを特徴とするベルトコンベヤ装置。
【請求項２】
平行に配置される取付枠部をベルト受け面を介して連結してなるコンベヤフレームの一端間にテールプーリを取り付け、前記コンベヤフレームの他端間にヘッドプーリを取外し自在に取り付ける第一搬送部と、
平行に配置される取付枠部をベルト受け面を介して連結してなるコンベヤフレームの一端間にテールプーリを取り付け、前記コンベヤフレームの他端間にヘッドプーリを取り付ける第二搬送部と、
前記第一搬送部のヘッドプーリの上方に前記第二搬送部のテールプーリを配した状態で、前記第一搬送部と前記第二搬送部とをそれぞれのフレームを同一平面上で連結して前記第一搬送部と前記第二搬送部とを結合する側板と、
前記第一搬送部のヘッドプーリと前記第二搬送部のテールプーリとの間において前記側板間に取外し自在に取り付けられ、ベルトの折返し部を形成するベンドプーリと、
前記第二搬送部の前記コンベヤフレームの途中において取外し自在に取り付けられるリターンローラと、
平行に配置される一対のサブフレームの一端間にボトムプーリを取り付け、前記一対のサブフレームの他端間にトッププーリを取外し自在に取り付け、前記第一搬送部のヘッドプーリの下方において前記側板間に取り付けられるプーリユニットと、
前記第一搬送部のテールプーリ及びヘッドプーリ、前記ベンドプーリ、前記第二搬送部のテールプーリ及びヘッドプーリ、前記リターンローラ、前記プーリユニットのボトムプーリ及びトッププーリ間に掛け渡されて周回走行する無端状のコンベヤベルトと、
前記第一搬送部のヘッドプーリ、前記プーリユニットのボトムプーリ又は前記第二搬送部のヘッドプーリの何れかに連絡する駆動装置と
を備え、
前記側板は、前記第一搬送部の下向きに開口し前記ベンドプーリの両端部を軸支する受部を有するベンドプーリブロックと、前記ベンドプーリブロックの受部に軸支される前記ベンドプーリの両端部を支持するベンドプーリ支持ネジと、前記ベンドプーリを取り出し又は取り入れるための窓穴と、前記プーリユニットを支持するプーリユニット支持ネジとを有し、
前記プーリユニットは、前記無端状のコンベヤベルトの取外し時に前記トッププーリが取り外され、前記無端状のコンベヤベルトの取付時に前記トッププーリが取り外され、前記無端状のコンベヤベルトの取付後に前記ボトムプーリに軸支される前記無端状のコンベヤベルトを前記第一搬送部方向へ押圧するように前記トッププーリが取り付られ、
前記無端状のコンベヤベルトの緩め時又は清掃時に、前記リターンローラ、前記プーリユニットのトッププーリ及び前記第一搬送部のヘッドプーリは、それぞれ前記コンベヤフレーム及び前記サブフレームから取り外され、前記ベンドプーリは、前記ベンドプーリ支持ネジを取り外すことによって前記側板から取り外され、前記窓穴から前記側板の外側へ取り出され、前記無端状のコンベヤベルトは、前記ベルトの折返し部を前記第一搬送部及び第二搬送部側から引っ張ることによって引き出される
ことを特徴とするベルトコンベヤ装置。
【請求項３】
請求項１又は２記載のベルトコンベヤ装置において、
前記第一搬送部は、前記コンベヤフレームの端部に取り付けられ、前記無端状のコンベヤベルトの走行方向に向かって開口する前記ヘッドプーリを軸支する受部を有するプーリブラケットと、前記プーリブラケットの受部に軸支される前記ヘッドプーリの軸部に当接して前記プーリブラケットに取り付けられる軸押さえとで構成されるヘッドプーリ受具を備えている
ことを特徴とするベルトコンベヤ装置。
【請求項４】
請求項１乃至３の何れか記載のベルトコンベヤ装置において、
前記リターンローラは、前記コンベヤフレームに向かって開口する受部を有し、前記コンベヤフレームの下面側に対向して配置されるリターンローラブラケットに、前記リターンローラの両端部の軸部を前記受部に落とし込んで嵌入することによって支持され、取外し時には、前記リターンローラの両端部の軸部を前記コンベヤフレーム方向に移動して前記受部の外へ押し出すことによって取り外される
ことを特徴とするベルトコンベヤ装置。
【請求項５】
請求項１乃至４の何れか記載のベルトコンベヤ装置において、
前記プーリユニットは、前記サブフレームの端部に取り付けられ、前記無端状のコンベヤベルトの走行面と交差し前記第一搬送部の下面側から外方に向かって開口する前記トッププーリを軸支する受部を有するサブフレームプーリブラケットと、前記サブフレームプーリブラケットの受部に軸支される前記トッププーリの軸部に当接して前記サブフレームプーリブラケットに取り付けられる軸押さえとで構成されるサブフレームプーリ受具を備えている
ことを特徴とするベルトコンベヤ装置。
【請求項６】
請求項１乃至５の何れか記載のベルトコンベヤ装置において、
前記第一搬送部のヘッドプーリ、前記ベンドプーリ、前記リターンローラ及び前記プーリユニットのトッププーリは、両端部が非丸断面形状の軸部を有するプーリ軸と、前記プーリ軸の外側に玉軸受を介して回転自在に取り付けられるパイプとで構成されている
ことを特徴とするベルトコンベヤ装置。
【請求項７】
請求項３記載のベルトコンベヤ装置において、
前記ベンドプーリブロックの受部及び前記プーリブラケットの受部は、非丸断面形状を為している
ことを特徴とするベルトコンベヤ装置。
【請求項８】
請求項４記載のベルトコンベヤ装置において、
前記リターンローラブラケットの受部は、非丸断面形状を為している
ことを特徴とするベルトコンベヤ装置。
【請求項９】
請求項１乃至８の何れか記載のベルトコンベヤ装置において、
前記第一搬送部と前記第二搬送部とは、前記側板を介して前記第二搬送部が前記第一搬送部に対して斜め上方に上昇走行するように配置されている
ことを特徴とするベルトコンベヤ装置。
【請求項１０】
請求項２乃至８の何れか記載のベルトコンベヤ装置において、
前記第一搬送部と前記第二搬送部とは、前記側板を介して前記第二搬送部が前記第一搬送部に対して斜め上方から下降走行するように配置されている
ことを特徴とするベルトコンベヤ装置。
【発明の詳細な説明】
【技術分野】
【０００１】
本発明は、ベルトの緩め時又は清掃時の作業を容易にするベルトコンベヤ装置を提供することにある。
【背景技術】
【０００２】
従来、水平に配置した第一搬送部と、第一搬送部によって搬送されるワークを乗り継ぎ位置で、斜め上方に上昇走行するように配置した第二搬送部との間に、一つ無端状のコンベヤベルトを周回走行させるように掛け渡し、両搬送部間において、無端状のコンベヤベルトの巻き返し部を形成するように中間ローラを取り付けたベルトコンベヤ装置が知られている（例えば、特許文献１参照）。
【０００３】
中間ローラは、第一搬送部の反転ローラに軸支されるリンクアームに取り付けられている。リンクアームは、コンベヤ装置本体のフレーム側に取り付けられたレバー又はコンベヤ装置本体のフレームに固定されている。
【先行技術文献】
【特許文献】
【０００４】
【特許文献１】特開２００４−２１０５０８号公報
【特許文献２】特開２００６−０６１５８４号公報
【発明の概要】
【発明が解決しようとする課題】
【０００５】
この種のベルトコンベヤ装置では、例えば、ワークから零れ落ちた粉体や食材などの付着によって汚染された無端状のコンベヤベルトを掃除する場合、ベルトを緩める必要がある。この場合、ベルトの折返し部を形成している中間ローラを取り外すこととなる。
ところが、特許文献１に記載のベルトコンベヤ装置では、中間ローラがコンベヤ装置本体のフレーム側に取り付けられたレバー又はコンベヤ装置本体のフレームに固定されているので、コンベヤ装置本体のフレームを取り外し、レバーやリンクアームを取り外すなどの複雑な作業が必要であった。
【０００６】
一方、特許文献２には、テンションローラの端部を回転自在に支持する軸支部に対して取外し自在にする技術が開示されている。
しかしながら、特許文献２に記載の接続用搬送装置は、搬送ベルトの張力が掛かった状態でテンションローラが軸支持部から取り外され、勢いよく押し出される虞がある。
【０００７】
本発明は斯かる従来の問題点を解決するために為されたもので、その目的は、ベルトの折返し部を形成するプーリの取外しに両搬送部を連結する側板を取り外すことなく側板外へ取り出すことが可能なベルトコンベヤ装置を提供することにある。
また、本発明の別の目的は、ベルトの折返し部を形成するプーリの取外し時に搬送ベルトの張力を低下させた状態で、プーリを側板外へ取り出してベルトの折返し部を解放可能なベルトコンベヤ装置を提供することにある。
【課題を解決するための手段】
【０００８】
請求項１に係る発明は、平行に配置される取付枠部をベルト受け面を介して連結してなるコンベヤフレームの一端間にテールプーリを取り付け、前記コンベヤフレームの他端間にヘッドプーリを取外し自在に取り付ける第一搬送部と、平行に配置される取付枠部をベルト受け面を介して連結してなるコンベヤフレームの一端間にテールプーリを取り付け、前記コンベヤフレームの他端間にヘッドプーリを取り付ける第二搬送部と、前記第一搬送部のヘッドプーリの下方に前記第二搬送部のテールプーリを配した状態で、前記第一搬送部と前記第二搬送部とをそれぞれのコンベヤフレームの取付枠部を同一平面上で連結して前記第一搬送部と前記第二搬送部とを結合する側板と、前記第一搬送部のヘッドプーリと前記第二搬送部のテールプーリとの間において前記側板間に取外し自在に取り付けられ、ベルトの折返し部を形成するベンドプーリと、前記第二搬送部の前記コンベヤフレームの途中において取外し自在に取り付けられるリターンローラと、平行に配置される一対のサブフレームの一端間にボトムプーリを取り付け、前記一対のサブフレームの他端間にトッププーリを取外し自在に取り付け、前記第一搬送部のヘッドプーリの下方において前記側板間に取り付けられるプーリユニットと、前記第一搬送部のテールプーリ及びヘッドプーリ、前記ベンドプーリ、前記第二搬送部のテールプーリ及びヘッドプーリ、前記リターンローラ、前記プーリユニットのボトムプーリ及びトッププーリ間に掛け渡されて周回走行する無端状のコンベヤベルトと、前記第一搬送部のテールプーリ、前記プーリユニットのボトムプーリ又は前記第二搬送部のヘッドプーリの何れかに連絡する駆動装置とを備え、前記側板は、前記第一搬送部の下向きに開口し前記ベンドプーリの両端部を軸支する受部を有するベンドプーリブロックと、前記ベンドプーリブロックの受部に軸支される前記ベンドプーリの両端部を支持するベンドプーリ支持ネジと、前記ベンドプーリ支持ネジを取外し後の前記ベンドプーリを取り出すための窓穴と、前記プーリユニットを支持するプーリユニット支持ネジとを有し、前記プーリユニットは、前記無端状のコンベヤベルトの取外し時に前記トッププーリが取り外され、前記無端状のコンベヤベルトの取付時に前記トッププーリが取り外され、前記無端状のコンベヤベルトの取付後に前記ボトムプーリに軸支される前記無端状のコンベヤベルトを前記第一搬送部方向へ押圧するように前記トッププーリが取り付られ、前記無端状のコンベヤベルトの緩め時又は清掃時に、前記リターンローラ、前記プーリユニットのトッププーリ及び前記第一搬送部のヘッドプーリは、それぞれ前記コンベヤフレーム及び前記サブフレームから取り外され、前記ベンドプーリは、前記ベンドプーリ支持ネジを取り外すことによって前記側板から取り外され、前記窓穴から前記側板の外側へ取り出され、前記無端状のコンベヤベルトは、前記ベルトの折返し部を前記第一搬送部及び第二搬送部側から引っ張ることによって引き出されることを特徴とする。
【０００９】
請求項２に係る発明は、平行に配置される取付枠部をベルト受け面を介して連結してなるコンベヤフレームの一端間にテールプーリを取り付け、前記コンベヤフレームの他端間にヘッドプーリを取外し自在に取り付ける第一搬送部と、平行に配置される取付枠部をベルト受け面を介して連結してなるコンベヤフレームの一端間にテールプーリを取り付け、前記コンベヤフレームの他端間にヘッドプーリを取り付ける第二搬送部と、前記第一搬送部のヘッドプーリの上方に前記第二搬送部のテールプーリを配した状態で、前記第一搬送部と前記第二搬送部とをそれぞれのフレームを同一平面上で連結して前記第一搬送部と前記第二搬送部とを結合する側板と、前記第一搬送部のヘッドプーリと前記第二搬送部のテールプーリとの間において前記側板間に取外し自在に取り付けられ、ベルトの折返し部を形成するベンドプーリと、前記第二搬送部の前記コンベヤフレームの途中において取外し自在に取り付けられるリターンローラと、平行に配置される一対のサブフレームの一端間にボトムプーリを取り付け、前記一対のサブフレームの他端間にトッププーリを取外し自在に取り付け、前記第一搬送部のヘッドプーリの下方において前記側板間に取り付けられるプーリユニットと、前記第一搬送部のテールプーリ及びヘッドプーリ、前記ベンドプーリ、前記第二搬送部のテールプーリ及びヘッドプーリ、前記リターンローラ、前記プーリユニットのボトムプーリ及びトッププーリ間に掛け渡されて周回走行する無端状のコンベヤベルトと、前記第一搬送部のヘッドプーリ、前記プーリユニットのボトムプーリ又は前記第二搬送部のヘッドプーリの何れかに連絡する駆動装置とを備え、前記側板は、前記第一搬送部の下向きに開口し前記ベンドプーリの両端部を軸支する受部を有するベンドプーリブロックと、前記ベンドプーリブロックの受部に軸支される前記ベンドプーリの両端部を支持するベンドプーリ支持ネジと、前記ベンドプーリを取り出し又は取り入れるための窓穴と、前記プーリユニットを支持するプーリユニット支持ネジとを有し、前記プーリユニットは、前記無端状のコンベヤベルトの取外し時に前記トッププーリが取り外され、前記無端状のコンベヤベルトの取付時に前記トッププーリが取り外され、前記無端状のコンベヤベルトの取付後に前記ボトムプーリに軸支される前記無端状のコンベヤベルトを前記第一搬送部方向へ押圧するように前記トッププーリが取り付られ、前記無端状のコンベヤベルトの緩め時又は清掃時に、前記リターンローラ、前記プーリユニットのトッププーリ及び前記第一搬送部のヘッドプーリは、それぞれ前記コンベヤフレーム及び前記サブフレームから取り外され、前記ベンドプーリは、前記ベンドプーリ支持ネジを取り外すことによって前記側板から取り外され、前記窓穴から前記側板の外側へ取り出され、前記無端状のコンベヤベルトは、前記ベルトの折返し部を前記第一搬送部及び第二搬送部側から引っ張ることによって引き出されることを特徴とする。
【００１０】
請求項３に係る発明は、請求項１又は２記載のベルトコンベヤ装置において、第一搬送部は、コンベヤフレームの端部に取り付けられ、無端状のコンベヤベルトの走行方向に向かって開口するヘッドプーリを軸支する受部を有するプーリブラケットと、プーリブラケットの受部に軸支されるヘッドプーリの軸部に当接してプーリブラケットに取り付けられる軸押さえとで構成されるヘッドプーリ受具を備えていることを特徴とする。
請求項４に係る発明は、請求項１乃至３の何れか記載のベルトコンベヤ装置において、リターンローラは、コンベヤフレームに向かって開口する受部を有し、コンベヤフレームの下面側に対向して配置されるリターンローラブラケットに、リターンローラの両端部の軸部を受部に落とし込んで嵌入することによって支持され、取外し時には、リターンローラの両端部の軸部をコンベヤフレーム方向に移動して受部の外へ押し出すことによって取り外されることを特徴とする。
【００１１】
請求項５に係る発明は、請求項１乃至４の何れか記載のベルトコンベヤ装置において、前記プーリユニットは、前記サブフレームの端部に取り付けられ、前記無端状のコンベヤベルトの走行面と交差し前記第一搬送部の下面側から外方に向かって開口する前記トッププーリを軸支する受部を有するサブフレームプーリブラケットと、前記サブフレームプーリブラケットの受部に軸支される前記トッププーリの軸部に当接して前記サブフレームプーリブラケットに取り付けられる軸押さえとで構成されるサブフレームプーリ受具を備えていることを特徴とする。
請求項６に係る発明は、請求項１乃至５の何れか記載のベルトコンベヤ装置において、前記第一搬送部のヘッドプーリ、前記ベンドプーリ、前記リターンローラ及び前記プーリユニットのトッププーリは、両端部が非丸断面形状の軸部を有するプーリ軸と、前記プーリ軸の外側に玉軸受を介して回転自在に取り付けられるパイプとで構成されていることを特徴とする。
【００１２】
請求項７に係る発明は、請求項３記載のベルトコンベヤ装置において、前記ベンドプーリブロックの受部及び前記プーリブラケットの受部は、非丸断面形状を為していることを特徴とする。
請求項８に係る発明は、請求項４記載のベルトコンベヤ装置において、前記リターンローラブラケットの受部は、非丸断面形状を為していることを特徴とする。
請求項９に係る発明は、請求項１乃至８の何れか記載のベルトコンベヤ装置において、前記第一搬送部と前記第二搬送部とは、前記側板を介して前記第二搬送部が前記第一搬送部に対して斜め上方に上昇走行するように配置されていることを特徴とする。
請求項１０に係る発明は、請求項２乃至８の何れか記載のベルトコンベヤ装置において、前記第一搬送部と前記第二搬送部とは、前記側板を介して前記第二搬送部が前記第一搬送部に対して斜め上方から下降走行するように配置されていることを特徴とする。
【発明の効果】
【００１３】
本発明によれば、ベルトの折返し部を形成するプーリの取外し時に両搬送部を連結する側板を取り外すことなく側板外へ取り出すことが可能となる。
また、本発明によれば、ベルトの折返し部を形成するプーリの取外し時に搬送ベルトの張力を低下させた状態で、プーリを側板外へ取り出すことが可能となる。
【図面の簡単な説明】
【００１４】
【図１】本発明の一実施形態に係るベルトコンベヤ装置を示す斜視図である。
【図２】本発明の一実施形態に係るベルトコンベヤ装置を示す平面図である。
【図３】図１における主要部を拡大して示す側面図である。
【図４】図１における第一搬送部を示す分解斜視図である。
【図５】図１における第一搬送部と第二搬送部との組付け構造を示す斜視図である。
【図６】図１におけるベンドプーリを拡大して示す正面図である。
【図７】図１におけるベンドプーリを取り外した状態を拡大して示す正面図である。
【図８】図１におけるベンドプーリの取付状態と取外し状態とを示す側面図である。
【図９】図１におけるリターンローラを拡大して示す正面図である。
【図１０】図９におけるリターンローラの組付け構造を示す側面図である。
【図１１】図９におけるリターンローラの取外し状態を示す正面図である。
【図１２】図１１におけるリターンローラの組付け構造を示す側面図である。
【図１３】図１におけるプーリユニットを下面側から拡大して示す斜視図である。
【図１４】図１におけるプーリユニットを無端状のコンベヤベルトを仮想線で表して下面側から拡大して示す斜視図である。
【図１５】図１３及び図１４におけるプーリユニットのトッププーリ側を分解して示す斜視図である。
【図１６】図１３及び図１４におけるプーリユニットのトッププーリを軸押さえ部に組み付けた後にプーリ受け具に装着する前の状態を示す斜視図である。
【図１７】図１におけるベルトコンベヤ装置において、ベルトコンベヤ装置のリターンローラを取り外し、プーリユニットのトッププーリを取り外し、第一搬送部のヘッドプーリを取り外し、ベンドプーリを取り外して窓穴まで移動した状態を示す斜視図である。
【図１８】図１７に示す状態からベンドプーリを窓穴から取り除き、無端状のコンベヤベルトの折返し部を第一搬送部及び第二搬送部側へ引き出した状態を示す側面図である。
【図１９】本発明の別の実施形態に係るベルトコンベヤ装置を示す側面図である。
【発明を実施するための形態】
【００１５】
以下、本発明の実施形態を図面に基づいて説明する。
図１〜図１８は、本発明の一実施形態に係るベルトコンベヤ装置１を示す。
本実施形態に係るベルトコンベヤ装置１は、第一搬送部１０と第二搬送部２０との間を周回走行させるように無端状のコンベヤベルト７０を掛け渡し、第一搬送部１０のヘッドプーリ１３と第二搬送部２０のテールプーリ２２との間において、無端状のコンベヤベルト７０の折返し部を形成するようにベンドプーリ４０を取外し自在に取り付けている。
【００１６】
第一搬送部１０は、平行に配置される取付枠部１１ｃをベルト受け面１１ｄを介して連結してなるコンベヤフレーム１１の一端１１ａ間にテールプーリ１２を取外し自在に取り付け、コンベヤフレーム１１の他端１１ｂ間にヘッドプーリ１３を取外し自在に取り付けている。
第二搬送部２０と、平行に配置される取付枠部２１ｃをベルト受け面２１ｄを介して連結してなるコンベヤフレーム２１の一端２１ａ間にテールプーリ２２を取外し自在に取り付け、コンベヤフレーム２１の他端２１ｂ間にヘッドプーリ２３を取り付けている。
【００１７】
コンベヤフレーム１１，２１は、それぞれの取付枠部１１ｃ，２１ｃの外側部の長手方向に蟻溝１１ｅ，２１ｅを設けるとともにそれぞれの取付枠部１１ｃ，２１ｃの底面部の長手方向に蟻溝１１ｆ，２１ｆを設けている。
第一搬送部１０のテールプーリ１２は、後述する第一搬送部１０のヘッドプーリ１３と同様に、両端部が例えば小判型などの非丸断面形状の軸部を有するプーリ軸（図示せず）と、そのプーリ軸の外側に玉軸受（図示せず）を介して回転自在に取り付けられるパイプ（図示せず）とで構成されている。
第一搬送部１０のヘッドプーリ１３は、両端部が例えば小判型などの非丸断面形状の軸部を有するプーリ軸１３ａと、プーリ軸１３ａの外側に玉軸受（図示せず）を介して回転自在に取り付けられるパイプ１３ｂとで構成されている。
【００１８】
第二搬送部２０のテールプーリ２２は、第一搬送部１０のヘッドプーリ１３と同様に、両端部が例えば小判型などの非丸断面形状の軸部を有するプーリ軸（図示せず）と、そのプーリ軸の外側に玉軸受（図示せず）を介して回転自在に取り付けられるパイプ（図示せず）とで構成されている。
第二搬送部２０のヘッドプーリ２３は、モータなどの駆動装置８０の動力をチェーン・スプロケット（図示せず）を介して回転されるドライブプーリで構成されている。
【００１９】
第一搬送部１０のテールプーリ１２及びヘッドプーリ１３は、一対のコンベヤフレーム１１の両端部１１ａ，１１ｂに取り付けられるプーリ受具１９にそれぞれ取り付けられている。
第二搬送部２０のテールプーリ２２は、一対のコンベヤフレーム２１の端部２１ａに取り付けられるプーリ受具（プーリ受具１９と同様の構造をしており、図示せず。）に取り付けられている。
第二搬送部２０のヘッドプーリ２３は、一対のコンベヤフレーム２１の端部２１ｂに取り付けられるドライブプーリ用軸受（図示せず）に取り付けられている。
【００２０】
プーリ受具１９は、コンベヤフレーム１１に取付時にコンベヤフレーム１１方向に開口する例えば小判型などの非丸断面形状の受部１７を有するプーリブラケット１６と、テールプーリ１２のプーリ軸及びヘッドプーリ１３のプーリ軸１３ａを保持しプーリブラケット１６の受部１７に支持される軸押さえ１８とで構成されている。
プーリブラケット１６は、軸押さえ１８をねじ止めするためのねじ穴１６ｂを設け、例えば小判型などの非丸断面形状の受部１７を有するブラケット本体１６ａと、このブラケット本体１６ａの側部から突出し、コンベヤフレーム１１の蟻溝１１ｅ内に挿入され、プーリブラケット１６を支持する軸部１６ｃとを備えている。軸部１６ｃには、蟻溝１１ｅに挿入後にねじ止めするためのねじ穴１６ｄを設けている。
【００２１】
軸押さえ１８は、テールプーリ１２のプーリ軸及びヘッドプーリ１３のプーリ軸１３ａを挿入させる例えば小判型などの非丸断面形状の軸孔１８ｂを設け、プーリブラケット１６の受部１７と同様の外形形状を為す軸押さえ本体１８ａと、軸押さえ１８をプーリブラケット１６にねじ止めするためにネジ１８ｄを挿通するための穴１８ｃとを備えている。
【００２２】
第一搬送部１０と第二搬送部２０とは、第一搬送部１０のヘッドプーリ１３の下方に第二搬送部２０のテールプーリ２２を配した状態で、一対の側板３０を配し、第一搬送部１０と第二搬送部２０とをそれぞれのコンベヤフレーム１１，２１の取付枠部１１ｃ，２１ｃを同一平面上でＬ字状に連結した後、各側板３０の外側から係止ネジ３０ａを取付枠部１１ｃ，２１ｃの蟻溝１１ｅ，２１ｅにねじ込むことによって結合されている。
【００２３】
一対の側板３０は、第一搬送部１０の下方から挿入されるベンドプーリ４０の両端から突出するプーリ軸４１を軸支する受部３２を有するベンドプーリブロック３１を支持するネジ３３と、ベンドプーリブロック３１の受部３２に軸支されるベンドプーリ４０の両端から突出するプーリ軸４１を支持するベンドプーリ支持ネジ３４と、ベンドプーリ支持ネジ３４を取外し後のベンドプーリ４０を取り出すための窓穴３５と、プーリユニット６０を支持するプーリユニット支持ネジ３６とを有する。なお、窓穴３５は、何れかの側板３０に設けてあれば良い。また、一対の側板３０は、下部において繋ぎ材３９によって結合されている。繋ぎ材３９はネジ３７によって係止されている。ここで、ベンドプーリブロック３１の受部３２は、ベンドプーリ４０のプーリ軸４１の外形形状と同様に、例えば小判型などの非丸断面形状を為している。
【００２４】
ベンドプーリ４０は、第一搬送部１０のヘッドプーリ１３と第二搬送部２０のテールプーリ２２との間において、側板３０間にベンドプーリブロック３１及びネジ３３によって取外し自在に取り付けられている。
ベンドプーリ４０は、両端部が例えば小判型などの非丸断面形状の軸部を有するプーリ軸４１と、プーリ軸４１の外側に玉軸受４３を介して回転自在に取り付けられるパイプ４２とで構成されている。
【００２５】
リターンローラ５０は、第二搬送部２０の一対のコンベヤフレーム２１の途中で一対のコンベヤフレーム２１に対向して取り付けたリターンローラブラケット５３に両端部のプーリ軸５１を介して取外し自在に取り付けられている。
リターンローラ５０は、両端部が例えば小判型などの非丸断面形状の軸部を有するプーリ軸５１と、プーリ軸５１の外側に玉軸受（図示せず）を介して回転自在に取り付けられるパイプ５２とで構成されている。
【００２６】
リターンローラブラケット５３は、コンベヤフレーム２１に向かって開口する例えば小判型などの非丸断面形状の受部５４を設け、コンベヤフレーム２１の取付枠部２１ｃの底面の蟻溝２１ｆに受部５４を対向してネジ５５によってねじ止めされている。
プーリユニット６０は、第一搬送部１０のヘッドプーリ１３の下方において、側板３０間にプーリユニット支持ネジ３６によって取り付けられている。
プーリユニット６０は、平行に配置される一対のサブフレーム６１の一端６１ａ間にボトムプーリ６２を取外し自在に取り付け、一対のサブフレーム６１の他端６１ｂ間にトッププーリ６３を取外し自在に取り付けている。
サブフレーム６１は、コンベヤフレーム１１，２１の取付枠部１１ｃ，２１ｃと同様の形状を為し、ベルト受け面を持たないものである。サブフレーム６１は、少なくとも外側部の長手方向に蟻溝６１ｃを設けている。
【００２７】
プーリユニット６０のボトムプーリ６２及びトッププーリ６３は、平行に配置される一対のサブフレーム６１の両端部６１ａ，６１ｂに取り付けられるサブフレームプーリ受具６４にそれぞれ取り付けられている。
サブフレームプーリ受具６４は、コンベヤフレーム１１の下面側においてコンベヤフレーム１１の反対方向に開口する例えば小判型などの非丸断面形状の受部６６を有するサブフレームプーリブラケット６５と、ボトムプーリ６２のプーリ軸（図示せず）及びトッププーリ６３のプーリ軸６３ａを保持しサブフレームプーリブラケット６５の受部６６に支持される軸押さえ６７とで構成されている。
【００２８】
サブフレームプーリブラケット６５は、軸押さえ６７をネジ６７ｆによってねじ止めするためのねじ穴６５ｃを設け、例えば小判型などの非丸断面形状の受部６６を有するブラケット本体６５ａと、このブラケット本体６５ａの側部から突出し、サブフレーム６１の蟻溝６１ｃ内に挿入され、サブフレームプーリブラケット６５を支持する軸部６５ｄとを備えている。軸部６５ｄには、蟻溝６１ｃに挿入後にねじ止めするためのねじ穴６５ｅを設けている。このサブフレーム６１を側板３０に固定するプーリユニット支持ねじ３６は、蟻溝６１ｃ内に図示しないナットを入れて側板を介して締結しても良いし、サブフレームプーリブラケット６５の蟻溝６１ｃに挿入した軸部６５ｄのねじ穴６５ｅを相手側に、側板を介して締結しても良い。
軸押さえ６７は、ボトムプーリ６２のプーリ軸（図示せず）及びトッププーリ６３のプーリ軸６３ａを挿入させる例えば小判型などの非丸断面形状の軸孔６７ｂを設け、サブフレームプーリブラケット６５の受部６６と同様の外形形状を為す軸押さえ本体６７ａと、軸押さえ６７をサブフレームプーリブラケット６５にねじ止めするためにネジ６７ｆを挿通するための穴６７ｃとを備えている。
【００２９】
無端状のコンベヤベルト７０は、第一搬送部１０のテールプーリ１２、第一搬送部１０のヘッドプーリ１３、ベンドプーリ４０、第二搬送部２０のテールプーリ２２、第二搬送部２０のヘッドプーリ２３、リターンローラ５０、プーリユニット６０のボトムプーリ６２及びトッププーリ６３間に掛け渡されて周回走行するように構成されている。
本実施形態に係るベルトコンベヤ装置１には、第一搬送部１０及び第二搬送部２０において、脚部９０が取り付けられ、床面上に据え付けられている。
【００３０】
次に、本実施形態に係るベルトコンベヤ装置１の作用を説明する。
先ず、例えば、図１８に示すように、第一搬送部１０のヘッドプーリ１３、ベンドプーリ４０、リターンローラ５０及びプーリユニット６０のトッププーリ６３を取り外した状態で、無端状のコンベヤベルト７０を第一搬送部１０及び第二搬送部２０に取り付ける。
もし、コンベヤベルト７０が完全にベルトコンベヤ装置１から取り外された状態から取り付ける場合は、繋ぎ材３９を取り外した後、第一搬送部１０のテールプーリ１２、第二搬送部２０のヘッドプーリ２３に掛け回した後に、コンベヤベルト７０の帰り側下側から繋ぎ材３９を図３のような状態に止め付ける。
【００３１】
次に、例えば、図１７に示すように、ベンドプーリ４０を一方の側板３０の窓穴３５から側板３０間にコンベヤベルト７０の搬送面を巻き回すようにして挿入し、例えば、図７に示すように、側板３０間において無端状のコンベヤベルト７０の上にベンドプーリ４０を載せた状態でベンドプーリ４０の両端部のプーリ軸４１を各側板３０に取り付けてあるベンドプーリブロック３１の受部３２内に挿入する。その後、例えば、図６に示すように、各側板３０の外側からベンドプーリ支持ネジ３４をねじ込んでベンドプーリ４０の両端部のプーリ軸４１を支持する。これによってベルトの折返し部が形成される。
次に、例えば、図１３に示すように、プーリユニット６０のボトムプーリ６２に当接している無端状のコンベヤベルト７０に対し、プーリユニット６０のトッププーリ６３で無端状のコンベヤベルト７０を第一搬送部１０方向へ押圧してサブフレームプーリ受具６４に取り付け、サブフレームプーリ受具６４に軸押さえ６７をねじ止めする。
【００３２】
次に、例えば、図５に示すように、第一搬送部１０上に配されている無端状のコンベヤベルト７０の下側にヘッドプーリ１３を挿入した後、ヘッドプーリ１３に軸押さえ１８を取り付ける。そして、第一搬送部１０のコンベヤフレーム１１の他端１１ｂ間に取り付けているプーリ受具１６に、軸押さえ１８を取り付けた状態のヘッドプーリ１３を取り付け、プーリ受具１６に軸押さえ１８をねじ止めする。
次に、リターンローラ５０を無端状のコンベヤベルト７０の下面側から第二搬送部２０の一対のコンベヤフレーム２１に向けてコンベヤベルト７０を持ち上げながら、例えば、図１１、図１２における矢印の逆向き方向からリターンローラ５０の両端部のプーリ軸５１を第二搬送部２０の一対のコンベヤフレーム２１に対向して取り付けたリターンローラブラケット５３の受部５４に落とし込んで装着する。
以上によって、例えば、図１〜図３に示すように、本実施形態に係るベルトコンベヤ装置１の組立が完了する。
【００３３】
このように組み立てられたベルトコンベヤ装置１は、駆動装置８０を駆動して無端状のコンベヤベルト７０を周回走行させることによって、水平に配された第一搬送部１０に載せられた搬送物を、所定の角度で上向きに傾斜される第二搬送部２０に移送し、第二搬送部２０のヘッドプーリ２３側へ受け渡すことができる。
【００３４】
次に、ベルトの緩め時又は清掃時の作業について説明する。
上述のように運転されているベルトコンベヤ装置１において、例えば、搬送物から零れ落ちる粉や食材などが無端状のコンベヤベルト７０に付着したり、例えば、ベンドプーリ４０などのプーリなどに汚れが付着するなどの事態が発生すると、ベルトの清掃が行われる。
先ず、例えば、図１２、図１３において矢印で示すように、リターンローラ５０を第二搬送部２０の一対のコンベヤフレーム２１の上方に向かって持ち上げ、リターンローラブラケット５３の受部５４から外し、取り出す。
【００３５】
次に、例えば、図５における矢印と反対方向に第一搬送部１０のヘッドプーリ１３を取り外す。そのために、ヘッドプーリ１３を軸支しているプーリ受具１６に取り付けられている軸押さえ１８からネジ１８ｄを取り去った後、軸押さえ１８を取り付けた状態でヘッドプーリ１３をプーリ受具１６から取り去る。
次に、例えば、図１３において、トッププーリ６３を軸支しているサブフレームプーリ受具６４に取り付けられている軸押さえ６７からネジ６７ｆを取り去った後、軸押さえ６７を取り付けた状態でトッププーリ６３をサブフレームプーリ受具６４から取り去る。
【００３６】
次に、例えば、図７、図８に示すように、ベンドプーリ４０を支持しているベンドプーリ支持ネジ３４を緩め、ベンドプーリ４０を下方に落下させる。
次に、例えば、図１７に示すように、ベンドプーリ４０によって形成されている無端状のコンベヤベルト７０の折返し部を一方の側板３０の窓穴３５に引き寄せ、窓穴３５からベンドプーリ４０を引き抜く。これによって、無端状のコンベヤベルト７０の折返し部が無くなる。
【００３７】
以上によって、例えば、図１８に示すように、ベンドプーリ４０によるベルトの折返し部を第一搬送部１０及び第二搬送部２０側へ引き出すことによって、無端状のコンベヤベルト７０は、第一搬送部１０のテールプーリ１２及び第二搬送部２０のヘッドプーリ２３以外には接していないので、無端状のコンベヤベルト７０が自由に取り回しすることが可能となり、上下面の清掃が容易にできる。
清掃後は、上述した組立手順に従って組立を行う。
【００３８】
このように、本実施形態に係るコンベヤ装置１によれば、側板３０の取外しなどの複雑な分解をすることなく容易にプーリの着脱が可能となる。
なお、上記実施形態では、第一搬送部１０のヘッドプーリ１３の下方に第二搬送部２０のテールプーリ２２を配置した場合について説明したが、本発明はこれに限らず、例えば、図１９に示すように、第一搬送部１０のヘッドプーリ１３の上方に第二搬送部２０のテールプーリ２２を配置しても良い。この場合には、ベンドプーリ４０が第二搬送部２０の下方に配置されることとなる。この形であれば、斜めに配置された第二搬送部２０から斜め下方に搬送物を搬送し、乗り継ぎ位置で、例えば、水平に配置した第一搬送部１０へ、搬送物を走行させるのに好適である。その際、第二搬送部２０のテールプーリ２２とヘッドプーリ２３、第一搬送部１０のテールプーリ１２とヘッドプーリ１３は、その位置関係がそれぞれ逆になる。
【００３９】
また、上記各実施形態では、第一搬送部１０及び第二搬送部２０のコンベヤフレーム１１，２１の両端にプーリ受具１９（第二搬送部２０に用いるプーリ受具は図示せず）を取り付け、テールプーリ１２，２２及びヘッドプーリ１３，２３を取外し自在としたが、本発明はこれに限らず、例えば、ヘッドプーリ１３以外は、取外しができない構造としても良い。
また、上記各実施形態では、プーリユニット６０のフレーム６１の両端にサブフレームプーリ受具６４を取り付け、トッププーリ６３及びボトムプーリ６２を取外し自在としたが、本発明はこれに限らず、例えば、トッププーリ６３以外は、取外しができない構造としても良い。
【００４０】
また、上記各実施形態では、第一搬送部１０のヘッドプーリ１３、ベンドプーリ４０、リターンローラ５０及びプーリユニット６０のトッププーリ６３は、プーリ軸１３ａ，４１ａ，５１ａ，６３ａの軸部を小判型として説明したが、本発明はこれに限らず、丸断面以外であればその断面形状は任意である。
【００４１】
また、上記各実施形態では、ベンドプーリブロック３１の受部３２、リターンローラブラケット５３の受部５４、サブフレームプーリブラケット６５の受部６６は、小判型として説明したが、本発明はこれに限らず、第一搬送部１０のヘッドプーリ１３、ベンドプーリ４０、リターンローラ５０及びプーリユニット６０のトッププーリ６３におけるプーリ軸１３ａ，４１ａ，５１ａ，６３ａの軸部と同じ形状をすれば良く、丸断面以外であればその断面形状は任意である。
また、上記各実施形態では、駆動装置８０を第二搬送部２０のヘッドプーリ２３と連絡する場合について説明したが、本発明はこれに限らず、例えば、第一搬送部１０のテールプーリ１２と連絡するようにしても良い。
【符号の説明】
【００４２】
１  ベルトコンベヤ装置
１０  第一搬送部
１１、２１  コンベヤフレーム
１２、２２  テールプーリ
１３、２３  ヘッドプーリ
１６  プーリブラケット
１７、３２、５４、６６  受部
１８、６７  軸押さえ
１９  プーリ受具
２０  第二搬送部
３０  側板
３０ａ  係止ネジ
３１  ベンドプーリブロック
３３、５５  ネジ
３４  ベンドプーリ支持ネジ
３５  窓穴
３６  プーリユニット支持ネジ
４０  ベンドプーリ
５０  リターンローラ
５３  リターンローラブラケット
６０  プーリユニット
６１  サブフレーム
６２  ボトムプーリ
６３  トッププーリ
６４  サブフレームプーリ受具
６５  サブフレームプーリブラケット
７０  無端状のコンベヤベルト
８０  駆動装置
【図１】
0005468329.tif 000002
【図２】
0005468329.tif 000003
【図３】
0005468329.tif 000004
【図４】
0005468329.tif 000005
【図５】
0005468329.tif 000006
【図６】
0005468329.tif 000007
【図７】
0005468329.tif 000008
【図８】
0005468329.tif 000009
【図９】
0005468329.tif 000010
【図１０】
0005468329.tif 000011
【図１１】
0005468329.tif 000012
【図１２】
0005468329.tif 000013
【図１３】
0005468329.tif 000014
【図１４】
0005468329.tif 000015
【図１５】
0005468329.tif 000016
【図１６】
0005468329.tif 000017
【図１７】
0005468329.tif 000018
【図１８】
0005468329.tif 000019
【図１９】
0005468329.tif 000020